(57)【要約】【課題】エレベーターの点検作業中に点検動作状態による誤警報の発報を適正に抑制できる機械室レスエレベーターを提供することである。【解決手段】かご１２の走行を制御するエレベーター制御装置１５は、昇降路１１内または乗り場の三方枠の箱体１６内に配置される。遠隔監視端末装置１７は昇降路１１内に設けられ、エレベーター制御装置１５の運転状態を遠隔地のエレベーター保守センターの遠隔監視装置に伝送する。操作ユニット１８は、遠隔監視端末装置１７の動作状態を表示すると共に、遠隔監視端末装置１７の発報動作を抑制する。【選択図】  図１
2004189414.tif 000002
【特許請求の範囲】
【請求項１】
昇降路内を移動するかごと、前記昇降路内または乗り場の三方枠内に設けられ前記かごの走行を制御するエレベーター制御装置と、前記昇降路内に設けられ前記エレベーター制御装置の運転状態をエレベーター保守センターの遠隔監視装置に伝送する遠隔監視端末装置と、前記遠隔監視端末装置の動作状態を表示すると共に前記遠隔監視端末装置の発報動作を抑制する操作ユニットとを備えたことを特徴とする機械室レスエレベーター。
【請求項２】
前記操作ユニットは、乗り場の三方枠内、かご内操作盤、または乗り場操作盤に設けられたことを特徴とする請求項１記載の機械室レスエレベーター。
【請求項３】
前記操作ユニットは、前記遠隔監視端末装置から前記遠隔監視装置への発報動作を予め禁止するための発報抑制スイッチと、前記遠隔監視端末装置から前記遠隔監視装置への発報動作が行われていることを表示するデータ伝送インジケータと、前記遠隔監視端末装置から前記遠隔監視装置に行われている発報動作を停止させるリセットスイッチと、前記かご内のインターホンと前記遠隔監視装置とが通話中であることを表示する音声通話インジケータとを備えたことを特徴とする請求項１または請求項２記載の機械室レスエレベーター。
【発明の詳細な説明】
【０００１】
【発明の属する技術分野】
本発明は、昇降路上方に機械室を持たない機械室レスエレベーターに関する。
【０００２】
【従来の技術】
通常、エレベーターのかごの走行を制御するエレベーター制御装置は昇降路上方の機械室に設置される。また、エレベーター保守センターの遠隔監視装置にエレベーターの運転状態を伝送する遠隔監視端末装置も、エレベーター制御装置からの信号授受や電源接続などの関係から、一般的にはエレベーターの機械室内のエレベーター制御装置内部やその側面に取り付けられることが多い。
【０００３】
このような遠隔監視端末装置を取り付けたエレベーターの点検を行う場合には、エレベーターの点検作業に先立って遠隔監視端末装置に設けられたスイッチを操作し、遠隔監視端末装置の動作を抑制して、エレベーターの点検による遠隔監視端末装置からエレベーター保守センターの遠隔監視装置への発報を制限している。
【０００４】
さらに、遠隔監視端末装置と遠隔監視装置との間の遠隔監視機能の確認の際には、エレベーターの電源を遮断するなどして故意に故障状況を発生させ、遠隔監視端末装置からエレベーター保守センターの遠隔監視装置への発報が正常に行われていることを、遠隔監視端末装置上に搭載された表示装置の表示にて確認するのが一般的であった。
【０００５】
一方、近年増加傾向にある機械室を持たない機械室レスエレベーターでは、エレベーター制御装置が昇降路内部に設置される場合が多く、これに伴い遠隔監視端末装置も昇降路内部に設置されることが多くなっている。
また、エレベーター制御装置が乗り場の戸袋や三方弁などに内蔵された場合でも、エレベーター制御装置の体積が小さく遠隔監視端末装置の設置スペースが確保されないことが多いので、遠隔監視端末装置は昇降路内部に設置される場合が多くなっている。
【０００６】
遠隔監視端末装置が昇降路内部に設置された場合には、エレベーターの点検作業の際に、昇降路内に入って遠隔監視端末装置の動作を抑制するためのスイッチを操作しなければならない。すなわち、昇降路に設置された遠隔監視端末装置の状態の確認やスイッチ操作を行う場合には、エレベーターを停止させる必要があった。
【０００７】
そこで、遠隔監視端末装置からエレベーター保守センターの遠隔監視装置への発報を制限するための保守点検用スイッチをかご内に設け、この保守点検用スイッチを押すことにより、遠隔監視端末装置からエレベーター保守センターの遠隔監視装置への発報を制限し、エレベーター制御装置からエレベーター保守センターへ警報を発生することなく、エレベーターの制御装置やエレベーターの遠隔監視用端末装置の保守点検を行えるようにしたものがある（例えば、特開２０００−２４７５５６号公報参照）。
【０００８】
【特許文献１】
特開２０００−２４７５５６号公報
【０００９】
【発明が解決しようとする課題】
しかしながら、エレベーターの点検作業の際に保守点検用スイッチの操作をし忘れた場合には、遠隔監視端末装置からエレベーター保守センターの遠隔監視装置への発報が行われ、点検中であるにもかかわらずエレベーター保守センターの遠隔監視装置に警報の発報が行われることがある。
【００１０】
すなわち、エレベーターの点検作業のために、エレベーターの運転を制御させた場合、保守点検用スイッチの操作が行われていないことから、遠隔監視端末装置は正常の状態で監視を行う。従って、エレベーターの点検動作状態を遠隔地のエレベーター保守センターに伝送してしまうことになるので、遠隔監視装置では、故障と誤認することがある。
【００１１】
本発明の目的は、エレベーターの点検作業中に点検動作状態による誤警報の発報を適正に抑制できる機械室レスエレベーターを提供することである。
【００１２】
【課題を解決するための手段】
請求項１の発明に係わる機械室レスエレベーターは、昇降路内を移動するかごと、前記昇降路内または乗り場の三方枠内に設けられ前記かごの走行を制御するエレベーター制御装置と、前記昇降路内に設けられ前記エレベーター制御装置の運転状態をエレベーター保守センターの遠隔監視装置に伝送する遠隔監視端末装置と、前記遠隔監視端末装置の動作状態を表示すると共に前記遠隔監視端末装置の発報動作を抑制する操作ユニットとを備えたことを特徴とする。
【００１３】
請求項２の発明に係わる機械室レスエレベーターは、請求項１の発明において、前記操作ユニットは、乗り場の三方枠内、かご内操作盤、または乗り場操作盤に設けられたことを特徴とする。
【００１４】
請求項３の発明に係わる機械室レスエレベーターは、請求項１または請求項２の発明において、前記操作ユニットは、前記遠隔監視端末装置から前記遠隔監視装置への発報動作を予め禁止するための発報抑制スイッチと、前記遠隔監視端末装置から前記遠隔監視装置への発報動作が行われていることを表示するデータ伝送インジケータと、前記遠隔監視端末装置から前記遠隔監視装置に行われている発報動作を停止させるリセットスイッチと、前記かご内のインターホンと前記遠隔監視装置とが通話中であることを表示する音声通話インジケータとを備えたことを特徴とする。
【００１５】
【発明の実施の形態】
以下、本発明の実施の形態を説明する。図１は本発明の実施の形態に係る機械室レスエレベーターの断面図である。昇降路１１内には、昇降路１１内部を昇降して乗客を運搬するかご１２が設けられ、かご１２は主ロープで釣り合い重り１３に接続されている。そして、巻上機１４により主ロープを駆動してかごを昇降させる。エレベーター制御装置１５は、乗り場の三方枠に形成された箱体１６に収納されている。また、昇降路１１内には、エレベーター制御装置１５の運転状態をエレベーター保守センターの遠隔監視装置に伝送する遠隔監視端末装置１７が設けられている。すなわち、遠隔監視端末装置１７はエレベーター制御装置１５に接続され、エレベーターの運転状態や運行履歴をエレベーター保守センターに伝送する。
【００１６】
このように、機械室レスエレベーターであることから、かご１２、釣り合い重り１３、巻上機１４に加えて、遠隔監視端末装置１７が昇降路１１内に設置され、エレベーター制御装置１５は乗り場の三方枠に箱体１６に収納されて設けられている。エレベーター制御装置１５が収納される箱体１６には操作ユニット１８も収納されている。操作ユニット１８は、遠隔監視端末装置１７の動作状態を表示するインジケータや遠隔監視端末装置１７の発報動作を抑制するためのスイッチ等が搭載されている。また、箱体１６には扉１９が取り付けられており、箱体１６に収納されたエレベーター制御装置１５及び操作ユニット１８を扉１９を開くことにより容易に点検できるようになっている。
【００１７】
図２は、操作ユニット１８の平面図である。この操作ユニット１８には、遠隔監視端末装置１７からエレベーター保守センターの遠隔監視装置への発報動作を予め禁止するための発報抑制スイッチ２０が設けられ、エレベーターの点検作業の際に発報抑制スイッチ２０が操作されると、遠隔監視端末装置１７はエレベーター保守センターの遠隔監視装置への発報動作を抑制することになる。また、操作ユニット１８には、遠隔監視端末装置１７から遠隔監視装置への発報動作が行われていることを表示するデータ伝送インジケータ２１が設けられており、遠隔監視端末装置１７が遠隔監視装置に発報動作を行っているときは、その旨を表示するようになっている。
【００１８】
操作ユニットのリセットスイッチ２２は、遠隔監視端末装置１７から遠隔監視装置に行われている発報動作を停止させるためのスイッチであり、音声通話インジケータ２３は、かご１１内のインターホンとエレベーター保守センターの遠隔監視装置とが通話中であることを表示するインジケータである。また、コネクタ２４により、操作ユニット１８は遠隔監視端末装置１７と接続される。
【００１９】
次に、動作を説明する。例えばエレベーターの点検を実施する場合、点検作業は、エレベーター制御装置１５が収納された箱体１６の扉１９を開き、操作ユニット１８に取り付けられた発報制御スイッチ２０を（ＣＨＫ）側に操作する、これにより、遠隔監視端末装置１７は発報動作を抑制する。例えば、点検作業によりエレベーターの電源を遮断したり、途中階でエレベーターを停止させたりした場合でも、遠隔地に設けられたエレベーター保守センターの遠隔監視装置への発報動作を行わなくなる。
【００２０】
また、エレベーターの点検作業の際に、発報制御スイッチ２０を（ＣＨＫ）側に操作することを失念した場合を考える。この場合、エレベーターの電源などを遮断した場合には、遠隔監視端末装置１７はエレベーター保守センターの遠隔監視装置への発報動作を行うことになる。この発報動作は、操作ユニット１８に取り付けられたデータ伝送インジケータ２１に表示され、発報動作を行っていることを瞬時に確認できる。従って、点検員は、リセットスイッチ２２を押すことにより、発報動作を瞬時に停止させることになる。
【００２１】
また、データ伝送インジケータ２１は、遠隔監視端末装置１７のデータ伝送状態をランプの点灯や点滅など区別して表示できる。例えば、ダイヤル中を点滅表示としデータ伝送中を連続点灯とすることでダイヤル中かデータ伝送中かの区別を行う。これにより、エレベーターの乗り場において、遠隔監視端末装置１７の動作の確認が容易に行える。
【００２２】
音声通話インジケータ２３は、エレベーターかご１２室内のインターホンと、直接通話を行っている場合の動作を表示するものであり、データ伝送インジケータ２１と同様に、ランプの点灯や点滅などで、ダイヤル中や通話中の区別を行うことが可能となっている。従って、エレベーターの乗り場において、遠隔監視端末装置１７の動作の確認が容易に行える。
【００２３】
以上の説明では、操作ユニット１８をエレベーター制御装置１５が収納される三方枠の箱体１６に収納されたものを示したが、かご１２内のかご内操作盤またはエレベーターの乗り場操作盤などに取り付けるようにしても良い。また、遠隔監視端末装置１７と操作ユニット１８との接続はコネクタ２４を介した有線による接続としたが、赤外線などの無線通信を行うこともできる。
【００２４】
【発明の効果】
以上述べたように、本発明によれば、機械室を有さない機械室レスエレベーターにおいて、遠隔監視端末装置の取り付け場所の制限を少なくし、昇降路内などの僅かなスペースでも効率的に設置が可能となる。また、遠隔監視端末装置をエレベーターの昇降路などに取り付けた場合でも、乗り場からのスイッチ操作で、遠隔監視端末装置の運転制御を行うことが可能となり、点検作業を行う場合にも、容易にエレベーターの運転制御を行うことが可能で、エレベーター保守センターなどへの不要な発報を制御できる。
【００２５】
さらに、各種インジケータの表示により遠隔監視端末装置の動作状況がエレベーターの乗り場で確認できるので、遠隔監視端末装置を含めた遠隔監視システム全体の点検も短時間で行うことが可能となる。
【図面の簡単な説明】
【図１】本発明の実施の形態に係る機械室レスエレベーターの断面図。
【図２】本発明の実施の形態における操作ユニットの平面図。
【符号の説明】
１１…昇降路、１２…かご、１３…釣り合い重り、１４…巻上機、１５…エレベーター制御装置、１６…箱体、１７…遠隔監視端末装置、１８…操作ユニット、１９…扉、２０…発報抑制スイッチ、２１…データ伝送インジケータ、２２…リセットスイッチ、２３…音声通話インジケータ、２４…コネクタ
【図１】
2004189414.tif 000003
【図２】
2004189414.tif 000004